(57)【要約】      （修正有）【課題】断熱性能に富むとともに、強度面でも優れ、かつ流入内容物の滑りもよく、マンホールに容易かつ確実に装着することができるマンホール用断熱防臭シートを提供する。【解決手段】正面視中空逆円錐形の断熱シート本体１を形成するとともに、シート本体下部に連続して開閉可能なる開閉弁部２を設け、シート本体上部には、マンホール受け枠１１に等配されている凸部１３にシート体を吊下するための吊下ワイヤー４を設けた。【選択図】図８
0003191348.tif 000002
【実用新案登録請求の範囲】
【請求項１】
正面視中空逆円錐形の断熱シート本体を形成するとともに、該シート本体下部に連続して開閉可能なる開閉弁部を設け、該シート本体上部に、シート本体を吊下するための吊下ワイヤーを設けたことを特徴とするマンホール用断熱防臭シート。
【請求項２】
開閉弁部を、正面視長方形状下部開放としてシート本体下部に一体化して設けることにより、シート体内物質無収納時にはシート体の自然なる形状保持力にて閉状態を維持し、物質収納時にはその重量による押圧にて開状態となって収納物が落下するよう形成してなる請求項１記載のマンホール用断熱防臭シート。
【請求項３】
シート本体内面上部において、該シート本体内面形状に沿って固定される剛性を有する環状物としての形状保持帯を設け、該形状保持帯に吊下ワイヤーを設けてなる請求項１または２記載のマンホール用断熱防臭シート。
【考案の詳細な説明】
【技術分野】
【０００１】  この考案は、路面下に埋設された下水道に関連づけて設けられるマンホールより発生する、熱と臭気を遮断するための断熱防臭シートに関する。
【背景技術】
【０００２】  従来より、マンホールに設けられる断熱防臭シートはあったが、吊下ワイヤーを用いて取り付けるものは見あたらない。
【考案の概要】
【考案が解決しようとする課題】
【０００３】  路面下に埋設される下水道の汚水管は生活排水が通過するため、その通過水による熱が発生し、また地熱にても熱気が発生する。この熱気はマンホール蓋に伝わり、この蓋から地上に放出される。降雪地域では冬季に路面へ積雪となるが、マンホール上に降り積もった雪はその熱にて融解するために、他の路面との間に段差としての凹凸が発生し、通行者や通過車の障害となっていた。また、夏季には汚水管から発生する臭気がマンホール蓋の孔より放出される問題が生じていた。
これらの諸問題を解決するために、本考案者らはマンホール蓋の下に設置する軟質かつ気密性のシートを主要部とした断熱防臭シートを、特許第４０３６２９３号として権利化を行っている。この権利化された断熱防臭シートは、シート生地を略扇形の所要の形状に裁断し、その２枚を融着や縫製などにて形成し、段部により鍔状の水平面を有するリング状の取り付け部と、取り付け部から下方に倒立円錐状に胴部を設け、該胴部の下端頂部から下方に、内圧にて開閉可能なる弁部を設け、取り付け部をマンホール蓋と受け枠の段部に固定し、弁部はシートを２枚合わせとし、両側部を止着し上下を開放したものである。【０００４】  近年、水害時に流水が逆流して多量にマンホール内に流入し、その水圧にてマンホール蓋が外れ飛散して、このマンホール孔から多量の水が放出される事態が増加している現象に対応するべく、このマンホール蓋を蝶番方式にて取り付ける工法が増えてきた。
この工法では前述のマンホール蓋を載置するための段部であるとともに該シート本体を載置するための段部が存在しないために、前掲の特許による環状水平面を有したシート体の取付が不能となる。本案は以上に鑑み、上記のマンホール形式においても取り付け可能なるマンホール用の断熱防臭シートを提供するべく考案されたものである。
【課題を解決するための手段】
【０００５】  課題を解決する手段として本案は以下の構成とした。
すなわち、正面視中空逆円錐形の断熱シート本体を形成するとともに、該シート本体下部に連続して開閉可能なる開閉弁部を設け、該シート本体上部に、シート体を吊下するための吊下ワイヤーを設ける。本案は以上の構成よりなるマンホール用断熱防臭シートである。
【考案の効果】
【０００６】  本案は下記の効果を揺する。
１．シート本体を発泡合成樹脂内面にアルミシートを貼着して設けたので、断熱性能に富  むとともに、強度面でも優れ、かつ流入内容物の滑りもよい物品として使用することが  できてマンホール蓋上の雪を溶かすことなく、歩行者等に対する障害を防止することが  できる。
２．シート本体下部に開閉弁部を一体に設けたので、必要に応じて弁部開閉がなされて、  シート体内収容物の排出と臭気の遮断の双方の機能を有する物品として利用することが  できる。
３．吊下ワイヤーにて吊下する方式としたので、マンホールに容易かつ確実に装着するこ  とができる。
４．形状保持帯を設けることにて、本品の正規な形状を保持して、隙間なくマンホールに  装着することができる。
５．構造簡単にして、比較的安価に量産することができる。
【図面の簡単な説明】
【０００７】
【図１】  本考案の平面図
【図２】  本考案の正面図（吊下ワイヤー立ち上げ状態）
【図３】  本考案の右側面図（開閉弁閉時）
【図４】  本考案の右側面図（開閉弁開時）
【図５】  本考案の要部斜視図
【図６】  既設のマンホール受け部の平面図（縮小表現）
【図７】  既設のマンホール蓋の構造説明図
【図８】  本考案の装着状態説明図（蝶番図略）
【考案を実施するための最良の形態】
【０００８】  以下、本考案の実施形態について説明する。
図において、１はシート本体で、発泡合成樹脂薄シートの一面にアルミシートを積層固着してシート体とし、このアルミシート面を内側として略逆円錐形に縫着形成したものであり、その上端部外径はマンホール内径に近似である。２は開閉弁部である。
この開閉弁部はシート本体下端部分に位置し、図２にて示すように、所定巾の長方形部分であってその両側部分のみが縫着されている。従って、シ−ト本体に粉状や液状の重量物が収容されたとき、その重量による内圧にてこの開閉弁部は開いてその収容物を落下排出する機能を有している。無収容物のときは、この開閉弁部はシート体の形状保持力にて閉状態を維持する。
３は形状保持帯である。この形状保持帯はアルミ板を短円錐環状に形成したものであって、前記のシート本体内面上部に一致する形状とサイズであり、リベットその他の手段にてシート本体内面上部に固定される。この保持帯にてシート本体上部形状が保持される。
４は吊下ワイヤーである。この吊下ワイヤーは所定長の細ワイヤーを環状形成し、前記のシート本体と形状保持帯に穿設される孔を介してシート本体上部に三等配にて取り付けられる。以上が本案の一実施形態である。【０００９】  次に、本案の使用について説明する。
マンホールは、内壁１０の上にマンホール受け枠１１がアンカーボルトにて固定され、この受け枠にマンホール蓋１２が載置されるとともに、蝶番（図示略）にて開閉可能に取り付けられている。この受け枠には等配にて凸部１３が一体形成されており、この凸部に本案の吊下ワイヤーが引っ掛けられて吊下保持される。
以下に、本案取り付け作業手順を記載する。
１．専用工具にてマンホールの蓋を開く。
２．本案シート体を正常の逆円錐形に整えて、中央の排出口（開閉弁部）が閉であること  を確認する。
３．シート本体をマンホール孔に挿入し、シート体のたるみを直して水平とする。
４．マンホール受け枠の凸部（突起状の係止部）に吊下ワイヤーを引っ掛け吊下する。
５．吊下ワイヤーの掛かり状態を確認してマンホール蓋を閉める。
６．マンホール蓋上のくぼんだ部分に雪をかぶせて踏み固める。（冬季積雪時）【００１０】  以上、本案について記したが、本案は蝶番によるマンホール蓋取り付け方式に対応するべく、吊下ワイヤーにて断熱防臭シートを装着する新規物品を提供するものであって、既述の同種物品と同等の性能を有するものである。なお、本案断熱防臭シートの上端部の外径はマンホール内壁上部内径よりやや大きく、はみ出した該シート体上部は柔軟に変形して内壁に密着し、通常は開閉弁部は閉状態にあるため、悪臭の放出を防ぎ、マンホール蓋の孔から流入した雨水等を適宜に排出することができる。
本案にて用いるシート体は、薄くて軟質であるとともに気密性のシートを用い、保温材として多用されているアルミ箔／ＰＥ織布の複合材などであるが、これに限らず上記条件を満たすものであればよく、単層の合成樹脂シートや帆布入りゴムシートなどを用いてもよい。なお、本案品例示では発泡合成樹脂シートを用いてシート本体を形成しているので、運搬時などでは上下中間位置より二つ折りとして折り畳むことができ、かつ軽量であるために、その取り扱いも容易である。
以上のごとく、本案によって利便性に富むマンホール用の断熱防臭シートを得ることができる。
【符号の説明】
【００１１】  １  シート本体
２  開閉弁部
３  形状保持帯
４  吊下ワイヤー
１０  内壁
１１  マンホール受け枠
１２  マンホール蓋
１３  凸部
【図１】
0003191348.tif 000003
【図２】
0003191348.tif 000004
【図３】
0003191348.tif 000005
【図４】
0003191348.tif 000006
【図５】
0003191348.tif 000007
【図６】
0003191348.tif 000008
【図７】
0003191348.tif 000009
【図８】
0003191348.tif 000010